(57)【要約】【課題】菓子食品類や各種日用品などを幅広く収容する、三方シール袋や合掌シール袋や折込みシール袋などの各種形状の軟質包装袋４であって、周辺部の切断開始傷ａを設けた切断開始部分から、容易に切断開始傷ａを切断して開封することができる、外面樹脂フィルム層２と内面樹脂フィルム層３との積層不良などを起す恐れがない、衛生的にも好ましい開封容易な軟質包装袋を提供する。【解決手段】本発明は、少なくとも２層以上の樹脂フィルム層２a,２bを積層した外面樹脂フィルム層２と、熱融着性や防湿性などが優れた内面樹脂フィルム層３とを、積層して成る軟質包装袋４の切断開始部分に、外面樹脂フィルム層２を貫通した多数の微細孔より成る切断開始傷ａを、多数の微小な金属刃ｂ又は砥粒を用いた機械的な方法で、外面樹脂フィルム層２の外面側から設けた開封容易な軟質包装袋である。【選択図】図１
2006151463.tif 000002
【特許請求の範囲】
【請求項１】
内面になる側にセラミック蒸着層やアルミニウム蒸着層などのバリアー層２cを積層した、少なくとも２層以上の樹脂フィルム層２a,２bを積層した外面樹脂フィルム層２と、熱融着性や防湿性などが優れた内面樹脂フィルム層３とを、積層して成る各種形状の軟質包装袋４であって、
この軟質包装袋４の切断開始部分に、外面樹脂フィルム層２を貫通した多数の微細孔より成る切断開始傷ａを、多数の微小な金属刃ｂ又は砥粒を用いた機械的な方法で、外面樹脂フィルム層２の外面側から設けたことを特徴とする開封容易な軟質包装袋。
【発明の詳細な説明】
【技術分野】
【０００１】
本発明は、菓子食品類や各種日用品などを幅広く収容する、三方シール袋や合掌シール袋( ピロー包装と通称する )や折込みシール( ガゼットシールと通称する )袋などの各種形状の軟質包装袋４であって、周辺部の切断開始傷ａを設けた切断開始部分から、容易に切断開始傷ａを切断して開封することができる開封容易な軟質包装袋に関する。
【背景技術】
【０００２】
従来から、菓子食品類や各種日用品などを幅広く収容する、強度や各種バリアー性などが優れた、単層( 図５Ａを参照 )又は複数層( 図５Ｂを参照 )の外面樹脂フィルム層２と、熱融着性や防湿性などが優れた内面樹脂フィルム層３とを、積層して成る、例えば図４Ａに示す三方シール袋４aや図４Ｂに示す合掌シール袋４bや図４Ｃに示す折込みシール袋４cなどの各種形状の軟質包装袋４が、一般に広く用いられている。
【０００３】
これら従来の、図４Ａ ,Ｂ ,Ｃに示す各種形状の軟質包装袋４においては、それぞれの軟質包装袋４の開封を容易にするために、図４Ａ ,Ｃに斜線で示す熱融着した部分のＶ字状やＩ字状などの切断開始切欠きｃに連続した、また図４Ｂに示す熱融着していない両端部を結んだ、それぞれ外面樹脂フィルム層２を貫通したミシン目状や直線状などの引裂き線ｄを、金属刃を用いた機械的な方法や炭酸ガスレーザーを用いた熱的な方法などで、外面樹脂フィルム層２の外面側から設けることが多かった。
【発明の開示】
【発明が解決しようとする課題】
【０００４】
ところが従来の、図４Ａ ,Ｂ ,Ｃに示す各種形状の軟質包装袋４については、熱融着した部分の切断開始切欠きｃに連続した引裂き線ｄを、また熱融着していない両端部を結んだ引裂き線ｄを、それぞれ軽く引裂くだけで、容易に切断して開封することができるものの、特に図４Ａ ,Ｃに示す各種形状の軟質包装袋４については、軟質包装袋４の周辺部の熱融着工程で、同時に金属刃を用いた機械的な方法で設ける、熱融着した部分のＶ字状やＩ字状などの切断開始切欠きｃと、軟質包装袋４の外面樹脂フィルム層２の印刷工程や内面樹脂フィルム層３との積層工程などの前後に、金属刃を用いた機械的な方法や炭酸ガスレーザーを用いた熱的な方法などで設ける、外面樹脂フィルム層２を貫通したミシン目状や直線状などの引裂き線ｄとの、位置がずれて連続しないことが多くて、この図４Ａ ,Ｃに示す切断開始切欠きｃに指を掛けて軽く引裂いても、連続していない引裂き線ｄ( 図示せず )が切断されないことがあって、引裂き方向が曲って軟質包装袋４が開封し難く、また収容物をこぼしたり手を汚したりすることがあった。
【０００５】
また従来の、図４Ａ ,Ｂ ,Ｃに示す各種形状の軟質包装袋４の、外面樹脂フィルム層２を貫通したミシン目状や直線状などの引裂き線ｄについては、例えば図５Ａに示すように、強度や各種バリアー性などが優れた単層の外面樹脂フィルム層２に、この外面樹脂フィルム層２を貫通した引裂き線ｄを、金属刃を用いた機械的な方法で設けた後に、熱融着性や防湿性などが優れた内面樹脂フィルム層３を積層した時に、この引裂き線ｄの外面側が塞がっていないことが問題であって、また例えば図５Ｂに示すように、強度や各種バリアー性などが優れた複数層( 図５Ｂでは３層 )の外面樹脂フィルム層２と、熱融着性や防湿性などが優れた内面樹脂フィルム層３とを積層した後に、この外面樹脂フィルム層２を貫通した引裂き線ｄを、炭酸ガスレーザーを用いた熱的な方法で設けた時に、この引裂き線ｄの外面側が塞がっていないことが問題であって、それぞれの外面樹脂フィルム層２と内面樹脂フィルム層３との積層工程で使用した、図示していない押出しラミ用のＡＣ(Anchor Coat )剤やドライラミ用の接着剤などが、外面樹脂フィルム層２の外面側に滲出するこ
とによって、外面樹脂フィルム層２と内面樹脂フィルム層３との積層不良などを起すことが多くて、菓子食品類や各種日用品などを幅広く収容した各種形状の軟質包装袋４に、積層不良のための剥がれや破けなどを起すことがあって、また衛生的にも好ましいものではなかった。
【０００６】
そこで、本発明の目的は、菓子食品類や各種日用品などを幅広く収容する、三方シール袋４aや合掌シール袋４bや折込みシール袋４cなどの各種形状の軟質包装袋４であって、周辺部の切断開始傷ａを設けた切断開始部分から、容易に切断開始傷ａを切断して開封することができる、外面樹脂フィルム層２と内面樹脂フィルム層３との積層不良などを起す恐れがない、衛生的にも好ましい開封容易な軟質包装袋を提供することにある。
【課題を解決するための手段】
【０００７】
本発明の開封容易な軟質包装袋は、内面になる側にセラミック蒸着層やアルミニウム蒸着層などのバリアー層２cを積層した、少なくとも２層以上の樹脂フィルム層２a,２bを積層した外面樹脂フィルム層２と、熱融着性や防湿性などが優れた内面樹脂フィルム層３とを、積層して成る各種形状の、図２に示す軟質包装袋４であって、
この軟質包装袋４の図１に網点で示す切断開始部分に、外面樹脂フィルム層２を貫通した多数の微細孔より成る切断開始傷ａを、図３Ａに示すように、多数の微小な金属刃ｂ又は砥粒を用いた機械的な方法で、外面樹脂フィルム層２の外面側から設けたことを特徴とする開封容易な軟質包装袋である。
【０００８】
本発明の開封容易な軟質包装袋においては、前述した従来の、例えば図４Ａに示す三方シール袋４aや図４Ｂに示す合掌シール袋４bや図４Ｃに示す折込みシール袋４cなどの各種形状の軟質包装袋４の、例えば図１に網点で示す切断開始部分に、外面樹脂フィルム層２を貫通した多数の微細孔より成る切断開始傷ａを、多数の微小な金属刃ｂ又は砥粒を用いて、例えば金属ロールの円周面又は金属板の平坦面に設けて押圧する機械的な方法で、外面樹脂フィルム層２の外面側から設けたことによって、樹脂フィルム層２a,２bを切断して貫通した金属刃ｂに密着して、下降した外面側の樹脂フィルム層２aが内面側の樹脂フィルム層２bに埋まり込み、図４Ｂに示すように、樹脂フィルム層２a,２bを積層した外面樹脂フィルム層２を貫通した切断開始傷ａの外面側を塞いでいるために、この外面樹脂フィルム層２と内面樹脂フィルム層３との積層工程で使用した、前述した押出しラミ用のＡＣ剤やドライラミ用の接着剤などが、外面樹脂フィルム層２の外面側に滲出することがなくて、外面樹脂フィルム層２と内面樹脂フィルム層３との積層不良などを起す恐れがない、衛生的にも好ましい開封容易な軟質包装袋を得ることができる。
【０００９】
また、本発明の開封容易な軟質包装袋においては、前述した各種形状の軟質包装袋４の切断開始部分に、外面樹脂フィルム層２を貫通した多数の微細孔より成る切断開始傷ａを、多数の微小な金属刃ｂ又は砥粒を用いた機械的な方法で、外面樹脂フィルム層２の外面側から設けた開封容易な軟質包装袋において、切断開始傷ａを設ける外面樹脂フィルム層２の内面になる側に、セラミック蒸着層やアルミニウム蒸着層などのバリアー層２cを積層したことによって、図４Ａに示すように、樹脂フィルム層２a,２bを積層した外面樹脂フィルム層２を貫通した切断開始傷ａを設ける時に、外面樹脂フィルム層２の内面になる側に積層したバリアー層２cが、樹脂フィルム層２a,２bを切断して貫通した金属刃ｂの先端部分に位置して、このバリアー層２cの破壊面積( 図４Ａでは切断した左右幅 )が最小になるために、セラミック蒸着層やアルミニウム蒸着層などのバリアー層２cの、切断開始傷ａによるバリアー性の劣化を少なくすることができる。
【発明の効果】
【００１０】
以上、本発明の開封容易な軟質包装袋においては、菓子食品類や各種日用品などを幅広く収容する、三方シール袋４aや合掌シール袋４bや折込みシール袋４cなどの各種形状の
軟質包装袋４であって、周辺部の切断開始傷ａを設けた切断開始部分から、容易に切断開始傷ａを切断して開封することができる、外面樹脂フィルム層２と内面樹脂フィルム層３との積層不良などを起す恐れがない、衛生的にも好ましい開封容易な軟質包装袋を提供することができる。
【発明を実施するための最良の形態】
【００１１】
本発明の開封容易な軟質包装袋における、各種形状の軟質包装袋４の切断開始部分に、多数の微小な金属刃ｂ又は砥粒を用いて、例えば金属ロールの円周面又は金属板の平坦面に設けて押圧する機械的な方法で、外面樹脂フィルム層２の外面側から設ける、外面樹脂フィルム層２を貫通した多数の微細孔より成る切断開始傷ａについては、例えば多数本のミシン目状や多数個の小点状などの微細孔より成る切断開始傷ａがあるが、周辺部の切断開始傷ａを設けた切断開始部分から、容易に切断開始傷ａを切断して軟質包装袋４を開封することができるものであれば、その形状や本数個数などに特に限定はなくて、微細孔の大きさとしては、例えば５〜５０μｍ程度が好ましい。
【実施例１】
【００１２】
図１Ａは、本発明の実施例１における、開封容易な軟質包装袋の斜視平面図であって、図１Ｂは、製袋途中の開封容易な軟質包装袋の斜視図であって、図１Ｃは、開封容易な軟質包装袋のブランクの平面図である。
【００１３】
また図２は、本発明の実施例１における、開封容易な軟質包装袋の断面説明図であって、図３Ａ ,Ｂは、実施例１の開封容易な軟質包装袋の外面樹脂フィルム層２に、切断開始傷ａを設けた状態を示す断面説明図である。
【００１４】
本実施例１の開封容易な軟質包装袋は、図２に示すように、強度などが優れた延伸ポリプロピレン( OPP,20μm)の外面側の樹脂フィルム層２aと、表面に美麗な印刷をして内面側にセラミック蒸着( SiO2,400ｎm)のバリアー層２cを積層した、各種バリアー性などが優れた延伸ポリエステル( PET,12μm)の内面側の樹脂フィルム層２bとを、通常のドライラミネート方法で積層した外面樹脂フィルム層２と、熱融着性や防湿性などが優れた未延伸ポリプロピレン( CPP,20μm)の内面樹脂フィルム層３とを、通常のドライラミネート方法で積層して成る、図１Ａ ,Ｂに示すピロー包装と通称する合掌シール式の軟質包装袋４である。
【００１５】
すなわち、この軟質包装袋４の、前述した外面側の樹脂フィルム層２aと内面側の樹脂フィルム層２bとを積層した外面樹脂フィルム層２の、図１Ａ ,Ｂ ,Ｃに網点で示す左側周辺部と合掌シール部との切断開始部分に、それぞれ外面樹脂フィルム層２を貫通した多数の微細孔より成る切断開始傷ａ1と切断開始傷ａ2とを、多数の微小な針状の金属刃ｂを金属ロールの円周面に設けて押圧する機械的な方法で、外面樹脂フィルム層２の外面側から設けた後に、図２に示すように、この切断開始傷ａ1,ａ2を設けた外面樹脂フィルム層２と、前述した内面樹脂フィルム層３とを、通常のドライラミネート式の積層工程で、図示していないドライラミ用の接着剤( 3g/m2)を介して積層して、左右幅が２３５ｃｍの巻取り状にスリッターして、実施例１の図１Ｃに示す開封容易な軟質包装袋のブランクを作製した。
【００１６】
次に、通常の巻取り式の製袋 ,充填工程で、この図１Ｃに示す開封容易な軟質包装袋のブランクの、合掌シール部の縦の折り目線ｅ1,ｅ1を谷折りして、また左右側周辺部の縦の折り目線ｅ2,ｅ2を山折りして、破斜線で示す左右の熱融着する部分どうしを、図１Ｂに示す筒状に熱融着( 合掌シールと言う )して、菓子食品類や各種日用品などを幅広く収容しながら、破斜線で示す前後の熱融着する部分どうしを熱融着して、縦と横( 前後と左右 )とが１５×１０ｃｍの、実施例１の図１Ａに示す開封容易な軟質包装袋を作製したと
ころ、
多数の微細孔より成る切断開始傷ａ1を設けた左側周辺部の好みの切断開始部分から、容易に切断開始傷ａ1を切断して、図１Ａに示す軟質包装袋４を好みの方向に引裂くことができる、しかもこの軟質包装袋４の引裂が、合掌シール部の多数の微細孔より成る切断開始傷ａ2に捕まって合掌シール部を容易に切断して、そのまま軟質包装袋４を好みの方向に引裂いて開封することができる開封容易な軟質包装袋を得ることができた。
【００１７】
本実施例１の開封容易な軟質包装袋においては、強度などが優れた延伸ポリプロピレンの外面側の樹脂フィルム層２aと、各種バリアー性などが優れた延伸ポリエステルの内面側の樹脂フィルム層２bとを、通常のドライラミネート方法で積層した外面樹脂フィルム層２の切断開始部分に、それぞれ外面樹脂フィルム層２を貫通した多数の微細孔より成る切断開始傷ａ1と切断開始傷ａ2とを、多数の微小な針状の金属刃ｂを金属ロールの円周面に設けて押圧する機械的な方法で、外面樹脂フィルム層２の外面側から設けた後に、熱融着性や防湿性などが優れた未延伸ポリプロピレンの内面樹脂フィルム層３を、通常のドライラミネート式の積層工程で積層したことによって、
延伸ポリエステルの内面側の樹脂フィルム層２bに比べて、比較的柔らかい延伸ポリプロピレンの外面側の樹脂フィルム層２aが、樹脂フィルム層２a,２bを切断して貫通した金属刃ｂに密着して、内面側の樹脂フィルム層２bに食込むように下降して、図３Ｂに示すように、それぞれ外面樹脂フィルム層２を貫通した切断開始傷ａ1と切断開始傷ａ2との外面側を塞いでいるために、外面樹脂フィルム層２と内面樹脂フィルム層３との( また樹脂フィルム層２aと樹脂フィルム層２bとの )積層工程で使用した、前述したドライラミ用の接着剤が、外面樹脂フィルム層２の外面側に滲出することがなくて、外面樹脂フィルム層２と内面樹脂フィルム層３との積層不良などを起す恐れがないために、菓子食品類や各種日用品などを幅広く収容した合掌シール式の軟質包装袋４に、積層不良のための剥がれや破けなどを起す恐れがない、衛生的にも好ましい開封容易な軟質包装袋を得ることができた。
【産業上の利用可能性】
【００１８】
特にありません。
【図面の簡単な説明】
【００１９】
【図１】本発明の実施例１における、図１Ａは、開封容易な軟質包装袋の斜視平面図であって、図１Ｂは、製袋途中の開封容易な軟質包装袋の斜視図であって、図１Ｃは、開封容易な軟質包装袋のブランクの平面図である。
【図２】本発明の実施例１における、開封容易な軟質包装袋の断面説明図である。
【図３】図３Ａ ,Ｂは、実施例１の開封容易な軟質包装袋の外面樹脂フィルム層２に、切断開始傷ａを設けた状態を示す断面説明図である。
【図４】図４Ａ ,Ｂ ,Ｃは、従来の軟質包装袋４の斜視平面図である。
【図５】図５Ａ ,Ｂは、従来の軟質包装袋４の断面説明図である。
【符号の説明】
【００２０】
２         …外面樹脂フィルム層
２a,２b    …樹脂フィルム層
２c        …バリアー層
３         …内面樹脂フィルム層
４         …軟質包装袋
４a        …三方シール袋
４b        …合掌シール袋
４c        …折込みシール袋
ａ,ａ1,ａ2 …切断開始傷
ｂ         …金属刃
ｃ         …切断開始切欠き
ｄ         …引裂き線
ｅ1,ｅ2    …折り目線
斜線       …熱融着した部分
破斜線     …熱融着する部分
網点       …切断開始部分
【図１】
2006151463.tif 000003
【図２】
2006151463.tif 000004
【図３】
2006151463.tif 000005
【図４】
2006151463.tif 000006
【図５】
2006151463.tif 000007